Podtech/llm-jp-corpus-v4-ja_patent huggingface dataset:
(57)【要約】      （修正有）【課題】スキー板のトップとテールを横滑りさせやすくし、回転操作を容易にしたスキー板の提供。【解決手段】スキー板１の長手方向の略中央部の人が乗る側に凹部７を設け、凹部のスキー板の厚さを薄くしたことで、中央部がたわみ易く、加重されると下向き凸となる。その下向き凸の頂点に体幹軸心の加重を乗せやすく、安定して回転する事が容易となり、深い小回りが出来るようにする。よって、回転の前半に横方向へ走らせたり、山側へ、傾斜面の上に向かってスキー板のトップを走らせたり、回転の後半にスキー板を横滑りさせたりして、速度制御が容易に出来るようになる。【選択図】図１
2017148502.tif 000002
【特許請求の範囲】
【請求項１】
スキー板の略中央部に靴を固定するスキー板において、スキー板の長手方向の略中央部の人が乗る側の横幅全体に渡って凹部を設け、前記凹部のスキー板の厚さを薄くしたスキー板。
【請求項２】
スキー板の前バインダーと後バインダーで挟まれた靴の靴底の長手方向の寸法よりも狭い寸法に、横幅全体に渡って凹部を設けた、請求項１に記載のスキー板。
【発明の詳細な説明】
【技術分野】
【０００１】  本発明は雪上で使用するスキー板の構造に関するものである。
【背景技術】
【０００２】  従来のスキー板は斜面を如何に転倒しないで早く下れるかを求めた技術であつたため、スキー板は重く、中央部は厚くてたわみ難く、浅い小回りしか出来ず、速度制御が難しく、スピードが出てしまう構造であった。結果「スキーは難しい、危ない」と言うイメージを大衆に与えてしまった。
【先行術文献】
【特許文献】
【０００３】
【特許文献１】特開平８−２２９１８４号  公報
【発明の概要】
【発明が解決しようとする課題】
【０００４】  回転の前半スピードが出る前にスキー板を山側へ横滑りさせたり、山側へ向けて走らせたりして速度を制御し、次に体幹軸を中心にゆっくり深い小回りをして、回転の後半にも横滑りして更に速度を制御して、斜面をゆっくり下れるスキー板を求めた。
【課題を解決するための手段】
【０００５】  スキー板の長手方向の略中央部の人が乗る側の横幅全体に渡って凹部を設け、前記凹部のスキー板の厚さを薄くして、加重（荷重、重力、遠心力、抑え込み力の総合）が掛かると、薄くしたことによって、スキー板のたわみを容易にし、スキー板の両端が上に上がり中央部が下に下がった逆凸の弓なり形になり、加重を抜くとたわみが元に戻るようにする。
【発明の効果】
【０００６】    スキー板の厚さを薄くした部分は、加重が掛かると容易に下向きの凸形にたわむため、下向き凸の頂点（弓なり形）に体幹軸心を乗せて加重すると、回転し易くなり、弓なり形はトップとテールの加重を減らし、トップとテールは横ずれし易く、回転操作が容易になった。結果、回転の前半にスキー板を山側に向けて横滑りさせたり、山側に向けて走らせたりして速度制御することが容易出来るようになり、さらに回転の後半にも斜面を横滑りして速度制御することも容易になった。
【図面の簡単な説明】
【０００７】
【図１】略中央部の人が乗る側に凹部を設け、凹部を薄くしたスキー板を示す側面図
【図２】略中央部の人が乗る側に凹部を設け、凹部を薄くしたスキー板を示す平面図
【図３】平面弾性補強材で凹部を補強したスキー板を示す側面図
【図４】舟形弾性補強材で凹部を補強したスキー板を示す側面図
【図５】バインダーで靴をスキー板に固定した、無加重でたわみのない状態の側面図
【図６】バインダーで靴をスキー板に固定した、加重が掛かってたわんだ状態の側面図
【図７】平面弾性補強材の平面図
【図８】平面弾性補強材の側面図
【発明を実施するための形態】
【０００８】  図５、図６で示すように、スキー板１の長手方向の略中央部の人が乗る側にスキー靴４を、前バインダー２と後バインダー３で固定するスキー板１において、前バインダー２と後バインダー３で挟まれた靴４の靴底の長手方向の寸法よりも狭い寸法の凹部７を設け、凹部７の深さは凹部のスキー板１の下部に投入した鋼板の上側までとして、スキー板１の凹部の厚さを薄くした。凹部７の形状は図面では長手方向の側面図で舟形を表示しているが、略中央部に狭い幅のＵ形（図省略）、又はＶ形（図省略）としてもよい。
図１、図３、図４、図５でスキー板１は加重を掛けない状態で水平面に置いた時、トップ側とテール側が接地して、中央部は少し浮いた状態（上に向かった凸の状態の弓なり形）になるようにする。これは従来のスキー板と同じである。
【０００９】  図６で示すように、スキー板１に人が乗って上から加重を掛けると、中央部の浮いた凸の状態の弓なり形はなくなり、逆に薄くした部分の両端に対して、中央部が下に下がった逆凸の弓なり形にたわみ、加重を抜くとたわみが元に戻るようにする。
【００１０】  スキー板１に人が乗って上から加重を掛けると、凹部７の上側の靴底部の長手方向の前後には圧縮加重が掛かり、凹部７の薄くなった部分には長手方向の前後から引っ張り加重が掛かる。
【００１１】  凹部のスキー板１が薄くなった部分に強度不足がある場合、薄い平面弾性補強材５（熱処理鋼板や強化樹脂等）又は薄い舟形弾性補強材６（熱処理鋼板や強化樹脂等）を投入して必要な強度を得るようにする。
【００１２】  従来のスキー板には雪面側の淵に鋼板がエッジとして投入されてスキーの性能を満たし、かつ強度も得ているが、更に長手方向の縦方向の中央部にも鋼板が補強の為に投入されている。当該スキー板にも薄くなったゆえに更に補強が必要な場合は、凹部７に平面弾性補強材５または舟形弾性補強材６を投入する。
【００１３】  投入された弾性補強材５又は弾性補強材６は引っ張り加重が掛かると周囲の樹脂との間に滑りが起きる可能性がある。滑りが起きないようにするために、平面弾性補強材５又は舟形弾性補強体６に数個の穴を開けて（図７）周囲の樹脂を穴にも充填して滑り止め対策をする。弾性補強材の形状としては数個の穴でなくとも長手方向に直角に波状（図省略）形状にしたり、鈎状（図省略）形状にしたり、数個の突起（図省略）形状にしたり、網状（図省略）形状にして滑り止め対策を施すと良い。
【００１４】  従来のスキー板の全長は長くて重かった。それを熟すには相当の練習が必要であつた。更にスキー板の性能を重視した宣伝で、早くて、こけないで滑る滑り方を勧めているた為に、スピードが出てしまい、流れに任せた滑りになって、危険性を伴い、多くの事故が発生した。従来の構造では素人が自力の筋力で簡単に速度制御する操作をすることは困難で、大衆がスキーを愛好するには難しい所があった。
当該スキー板は回転を容易にして、回転制御をすると共に、回転前後に横滑り等で速度制御が容易に出来るようにしたものである。
【符号の説明】
【００１５】    １スキー板
２前バインダー
３後バインダー
４靴
５平面弾性補強材
６舟形弾性補強材
７凹部
【図１】
2017148502.tif 000003
【図２】
2017148502.tif 000004
【図３】
2017148502.tif 000005
【図４】
2017148502.tif 000006
【図５】
2017148502.tif 000007
【図６】
2017148502.tif 000008
【図７】
2017148502.tif 000009
【図８】
2017148502.tif 000010
(57)【要約】【課題】西洋ワサビ以外の農作物や食品添加物を入れることなく、ワサビ本来の辛味、香り、色合を西洋ワサビ単体で製造する。【解決手段】西洋ワサビ根部粉末（ａ）と元来廃棄されることが多い西洋ワサビ葉茎部粉末（ｂ）を混合させ水分を添加して練ることでワサビ以外の農作物や食品添加物を入れることなく辛味、香り、色合が出せる。【選択図】図１
2017148031.tif 000002
【特許請求の範囲】
【請求項１】
西洋ワサビの根部粉末に加えて西洋ワサビの葉茎部粉末を混合させ、水で練り合わせることによりワサビ以外の農作物や食品添加物を入れることなくワサビ本来の辛味、香り、色合が出せることを特徴とする西洋ワサビの加工方法
【請求項２】
前記西洋ワサビの根部粉末と前記西洋ワサビ葉茎部粉末の混合比率を変化させることで辛味、香りを変化させることができることを特徴とする請求項１に記載の西洋ワサビの加工方法
【発明の詳細な説明】
【技術分野】
【０００１】本発明は西洋ワサビの加工方法に関するものである。
【背景技術】
【０００２】従来の加工ワサビは西洋ワサビの根部を原材料とし加工しているが、辛味をからしなど他の農作物や食品添加物で出している。また、着色はクチナシの実などが使われることが多い。
【発明の概要】
【発明が解決しようとする課題】
【０００３】加工ワサビは西洋ワサビの加工過程において辛味が揮発しやすく、ワサビ特有の辛味が失われる。
また西洋ワサビの根部を粉末に加工したものは色が白く、一見するとわさびに見えない。そこで上記のように辛味や着色を他の農作物や食品添加物で出しているが、本来の西洋ワサビの味や色が失われているという見方もできる。【０００４】本発明はこのような課題を解決しようとするものであり、西洋ワサビ以外の農作物や食品添加物を入れることなく西洋ワサビのみでワサビ本来の辛味、香り、色合を出すことを目的とするものである。
【課題を解決するための手段】
【０００５】本発明は上記目的を達成させるため、以下の製法による。
西洋ワサビの根部粉末に加えて葉茎部粉末を混合させ、水で練り合わせることにより西洋ワサビ以外の農作物や食品添加物を入れることなくワサビ本来の辛味、香り、色合を出す。
【発明の効果】
【０００６】上述したように、本発明の製法で西洋ワサビを粉末にして加工する際、西洋ワサビ以外の農作物や食品添加物を使用することなく西洋ワサビのみでワサビ本来の辛味、香り、色合を出せる加工製法である。
【図面の簡単な説明】
【０００７】
【図１】本発明の実施形態を示す西洋ワサビの加工形態
【発明を実施するための形態】
【０００８】以下、本発明の実施の形態を図１において説明する。
【０００９】図１において（Ａ）は西洋ワサビの根部である。（Ｂ）は西洋ワサビの葉茎部である。
（ａ）は（Ａ）を自然乾燥または機械乾燥し、粉砕機により粉末にしたものである。（ｂ）は（Ｂ）を自然乾燥または機械乾燥し、粉砕機により粉末にしたものである。
【実施例】
【００１０】西洋ワサビの根に加えて元来廃棄されることが多い葉と茎を利用する。【００１１】西洋ワサビの根部粉末のみで水分を添加し練ってもワサビ特有の辛味、香り、色合は確認できない。【００１２】西洋ワサビの葉茎部粉末のみで水分を添加した場合、ワサビ特有の辛味は確認できないが、香りと色合は確認できる。【００１３】西洋ワサビ根部粉末と西洋ワサビ葉茎部粉末を均等に混ぜて水分を添加し練ることにより、ワサビ本来の辛味、香り、色合が確認できる。【００１４】西洋ワサビ根部粉末と西洋ワサビ葉茎部粉末の混合比率を変化させることにより、味や香りが変化する。
【産業上の利用可能性】
【００１５】西洋ワサビ根部粉末と西洋ワサビ葉茎部粉末の混合比率を変化させることで味や香りが変化するため多種多様な食品、飲料水、調味料として利用できる可能性が広がる。【００１６】西洋ワサビは日本ワサビと比較すると需要が少ないが、栽培において手間やコストがかからず、動物の被害が少ないというメリットがあり、この発見で需要が増加することによって農業を活性化することが可能である。【００１７】本来廃棄することが多い西洋ワサビの葉茎部を活用することにより、廃棄の手間やコストが削減でき、西洋ワサビ全体を有効利用できる。
【図１】
2017148031.tif 000003
(57)【要約】【課題】  岩盤浴やサウナの効果的な使用法に近い温度変化により、一定温度での温熱での効能以外の効果も期待することができる温熱治療器及び温熱治療器の制御方法を提供することにある。【解決手段】  温熱を、４０度〜６０度の高温で所定期間発熱させ、所定期間発熱を停止し、所定回数発熱と停止を繰り返し、また、発熱させる所定期間及び停止させる所定期間が、共に約１５分であり、さらに、発熱と停止とを約１時間にわたって繰り返し、発熱と停止とを切り換えるタイミングで、音を発することを特徴とする。【選択図】なし【特許請求の範囲】
【請求項１】
治療者の温熱を与える温熱治療器において、
該温熱を、４０度〜６０度の高温で所定期間発熱させ、所定期間発熱を停止し、所定回数発熱と停止を繰り返すことを特徴とする温熱治療器。
【請求項２】
前記発熱させる所定期間及び前記停止させる所定期間が、共に約１５分であることを特徴とする請求項１記載の温熱治療器。
【請求項３】
前記発熱と前記停止とを約１時間にわたって繰り返すことを特徴とする請求項２記載の温熱治療器。
【請求項４】
前記発熱と前記停止とを切り換えるタイミングで、音を発することを特徴とする請求項１〜請求項３のいずれかに記載の温熱治療器。
【請求項５】
治療者の温熱を与える温熱治療器の制御方法において、
該温熱を、４０度〜６０度の高温で所定期間発熱させ、所定期間発熱を停止し、所定回数発熱と停止を繰り返すことを特徴とする温熱治療器の制御方法。
【請求項６】
前記発熱させる所定期間及び前記停止させる所定期間が、共に約１５分であることを特徴とする請求項５記載の温熱治療器の制御方法。
【請求項７】
前記発熱と前記停止とを約１時間にわたって繰り返すことを特徴とする請求項６記載の温熱治療器の制御方法。
【請求項８】
前記発熱と前記停止とを切り換えるタイミングで、音を発することを特徴とする請求項５〜請求項７のいずれかに記載の温熱治療器の制御方法。
【発明の詳細な説明】
【技術分野】
【０００１】
本発明は、治療者の温熱を与える温熱治療器及び温熱治療器の制御方法に関する。
【背景技術】
【０００２】
従来より、治療者の温熱を与えるための温熱治療器が、提案されている。例えば、特許文献１に示される電位治療器は、利用者の下に敷かれる本体と、本体の中に設けられ、供給された電力によってエネルギーを発生させるヒータ線と、ヒータ線に電力を供給する電源装置と、電源装置の出力電圧を制御する制御装置とを備え、制御装置は、押下によって電源装置の出力電圧を増加させる温熱増加ボタンが所定の時間の間押下され続けた場合に、電源装置の出力電圧を低下させるようになっている。
【先行技術文献】
【特許文献】
【０００３】
【特許文献１】特開２０１２−２９７１６号公報
【発明の概要】
【発明が解決しようとする課題】
【０００４】
しかしながら、従来の温熱治療器では、一定の温度を連続的に発するため、一定温度での温熱での限られた効能しか得ることができない。
【０００５】
本発明は、このような事情に鑑みてなされたもので、岩盤浴やサウナの効果的な使用法に近い温度変化により、一定温度での温熱での効能以外の効果も期待することができる温熱治療器及び温熱治療器の制御方法を提供することにある。
【課題を解決するための手段】
【０００６】
請求項１記載の温熱治療器は、温熱を、４０度〜６０度の高温で所定期間発熱させ、所定期間発熱を停止し、所定回数発熱と停止を繰り返すことを特徴とする。
【０００７】
請求項２記載の温熱治療器は、発熱させる所定期間及び停止させる所定期間が、共に約１５分であることを特徴とする。
【０００８】
請求項３記載の温熱治療器は、発熱と停止とを約１時間にわたって繰り返すことを特徴とする。
【０００９】
請求項４記載の温熱治療器は、発熱と停止とを切り換えるタイミングで、音を発することを特徴とする。
【００１０】
請求項５記載の温熱治療器の制御方法は、温熱を、４０度〜６０度の高温で所定期間発熱させ、所定期間発熱を停止し、所定回数発熱と停止を繰り返すことを特徴とする。
【００１１】
請求項６記載の温熱治療器の制御方法は、発熱させる所定期間及び停止させる所定期間が、共に約１５分であることを特徴とする。
【００１２】
請求項７記載の温熱治療器の制御方法は、発熱と停止とを約１時間にわたって繰り返すことを特徴とする。
【００１３】
請求項８記載の温熱治療器の制御方法は、発熱と停止とを切り換えるタイミングで、音を発することを特徴とする。
【発明の効果】
【００１４】
本願の発明によれば、岩盤浴やサウナの効果的な使用法に近い温度変化により、一定温度での温熱での効能以外の効果も期待することができる。
【発明を実施するための形態】
【００１５】
以下、本発明の形態について具体的に説明する。本願の発明に係る温熱治療器は、治療者の体に温熱を与えるための装置である。温熱治療器は、熱を発するヒータの上下をポリエステル等のシートで覆ってマット状にしたマット部と、ヒータに通電を行う電源や制御部を有するコントローラから構成されている。制御部では、以降に示す温度の熱がヒータから発せられるように制御を行う。尚、以下の説明で、具体的な時間として記載の数値に限定されるものではなく、その時間の概ねプラスマイナス各１０％を範囲としている。
【００１６】
本願の発明に係る温熱治療器は、温熱を、４０度〜６０度の高温で所定期間発熱させ、所定期間発熱を停止し、所定回数発熱と停止を繰り返すことができる。そして、その所定期間が、例えば、発熱させる所定期間及び停止させる所定期間を、共に約１５分にすることができる。尚、高温の発熱から発熱を停止させると、マットの温度が徐々に下がっていくようになる。そして、また高温が発せられると、上記の温度の高温に戻ることになり、温度は、この繰り返しとなる。このように、高温の発熱と停止を、１５分間隔で繰り返すことは、岩盤浴やサウナの効果があるとされる温度や時間と類似しており、従来の温熱治療器と異なり、本願の温熱治療器によれば、岩盤浴やサウナの効果的な使用法に近い温度変化により、一定温度での温熱での効能以外の効果も期待することができる。
【００１７】
また、発熱と停止とを約１時間にわたって繰り返すことも可能である。約１時間とすることで、低温火傷を防止することができる。
【００１８】
さらに、発熱と停止とを切り換えるタイミングで、音を発するようにすることもできる。この音とは、例えば、「ピッ」といった警告音に近い気がつきやすい音が望ましい。そして、この音が、発熱と停止とを切り換えるタイミングで発せられることで、発熱中は、体に布団をかけて熱をこもらせ熱くして、停止中は布団を剥いで体を冷やす、といった治療方法を行う合図にすることができる。
【産業上の利用可能性】
【００１９】
以上のように、本発明によれば、岩盤浴やサウナの効果的な使用法に近い温度変化により、一定温度での温熱での効能以外の効果も期待することができる温熱治療器及び温熱治療器の制御方法を提供することができる。
(57)【要約】【課題】  所定時間で、高電位と低電位とを繰り返したり、また、高電位とオフとを繰り返したり、さらに低電位とオフとを繰り返すことで、治療者の身体がその電位に慣れてしまうという問題を解決することができる電位治療器及び電位治療器の制御方法を提供することにある。【解決手段】  第１の電位と、第２の電位又はオフとを、所定時間で連続的に切り換えることを特徴とし、また、第１の電位が所定の高電位で、第２の電位が所定の低電位であり、高電位が−８００Ｖで、低電位が−２００Ｖであることを特徴とする。【選択図】なし【特許請求の範囲】
【請求項１】
治療者の体に電位を印加する電位治療器において、
第１の電位と、第２の電位又はオフとを、所定時間で連続的に切り換えることを特徴とする電位治療器。
【請求項２】
前記第１の電位が所定の高電位で、前記第２の電位が所定の低電位であることを特徴とする請求項１記載の電位治療器。
【請求項３】
前記第１の電位が、所定の低電位であることを特徴とする請求項１記載の電位治療器。
【請求項４】
前記高電位が−８００Ｖで、前記低電位が−２００Ｖであることを特徴とする請求項２又は請求項３記載の電位治療器。
【請求項５】
治療者の体に電位を印加する電位治療器の制御方法において、
第１の電位と、第２の電位又はオフとを、所定時間で連続的に切り換えることを特徴とする電位治療器の制御方法。
【請求項６】
前記第１の電位が所定の高電位で、前記第２の電位が所定の低電位であることを特徴とする請求項５記載の電位治療器の制御方法。
【請求項７】
前記第１の電位が、所定の低電位であることを特徴とする請求項５記載の電位治療器の制御方法。
【請求項８】
前記高電位が−８００Ｖで、前記低電位が−２００Ｖであることを特徴とする請求項６又は請求項７記載の電位治療器の制御方法。
【発明の詳細な説明】
【技術分野】
【０００１】
本発明は、治療者の体に電位を印加する電位治療器及び電位治療器の制御方法に関する。
【背景技術】
【０００２】
従来より、治療者の体に電位を印加するための電位治療器が、提案されている。例えば、特許文献１に示される温熱・電位治療器は、電子的なカウンターを用いて、所定の時間連続して電位を発生させた後に、停止させるように動作するものである。尚、複数の電位を印加可能であり、電位毎に、連続して印加して停止するまでの時間を定めている。
【先行技術文献】
【特許文献】
【０００３】
【特許文献１】特開平１１−３４２２１０号公報
【発明の概要】
【発明が解決しようとする課題】
【０００４】
しかしながら、従来の電位治療器では、印加する電位を単純に切り換えられるだけであったため、一定の電位で治療者の体に印加し続けると、治療者の身体がその電位に慣れてしまうという問題がある。
【０００５】
本発明は、このような事情に鑑みてなされたもので、所定時間で、高電位と低電位とを繰り返したり、また、高電位とオフとを繰り返したり、さらに低電位とオフとを繰り返すことで、治療者の身体がその電位に慣れてしまうという問題を解決することができる電位治療器及び電位治療器の制御方法を提供することにある。
【課題を解決するための手段】
【０００６】
請求項１記載の電位治療器は、第１の電位と、第２の電位又はオフとを、所定時間で連続的に切り換えることを特徴とする。
【０００７】
請求項２記載の電位治療器は、第１の電位が所定の高電位で、第２の電位が所定の低電位であることを特徴とする。
【０００８】
請求項３記載の電位治療器は、第１の電位が、所定の低電位であることを特徴とする。
【０００９】
請求項４記載の電位治療器は、高電位が−８００Ｖで、低電位が−２００Ｖであることを特徴とする。
【００１０】
請求項５記載の電位治療器の制御方法は、第１の電位と、第２の電位又はオフとを、所定時間で連続的に切り換えることを特徴とする。
【００１１】
請求項６記載の電位治療器の制御方法は、第１の電位が所定の高電位で、第２の電位が所定の低電位であることを特徴とする。
【００１２】
請求項７記載の電位治療器の制御方法は、第１の電位が、所定の低電位であることを特徴とする。
【００１３】
請求項８記載の電位治療器の制御方法は、高電位が−８００Ｖで、低電位が−２００Ｖであることを特徴とする。
【発明の効果】
【００１４】
本願の発明によれば、所定時間で、高電位と低電位とを繰り返したり、また、高電位とオフとを繰り返したり、さらに低電位とオフとを繰り返すことで、治療者の身体がその電位に慣れてしまうという問題を解決することができる。
【発明を実施するための形態】
【００１５】
以下、本発明の形態について具体的に説明する。本願の発明に係る電位治療器は、治療者の体に電位を印加するための装置である。電位治療器は、マイナス電位を発する電床板の上下をポリエステル等のシートで覆ってマット状にしたマット部と、電床板に通電を行う電源や制御部を有するコントローラから構成されている。制御部では、以降に示す電位が電床板から発せられるように制御を行う。尚、以下の説明で、具体的な電位（電圧値）を説明するが、その電位は、記載の数値に限定されるものではなく、その電位の概ねプラスマイナス各１０％を範囲としている。
【００１６】
本願の発明に係る電位治療器は、１つの形態として、治療者の体に印加する電位として、第１の電位と第２の電位を、所定時間で連続的に切り換えることができる。そして、その第１の電位が高電位で、第２の電位が低電位となっている。より具体的には、高電位が−８００Ｖで、低電位が−２００Ｖである。そして、この第１の電位と第２の電位とが、例えば６秒間隔で切り替わるように、制御される。
【００１７】
また、他の形態としては、第１の電位とオフとを、所定時間で連続的に切り換えることができる。そして、例えば、第１の電位が高電位で、−８００Ｖであり、この第１の電位とオフとが、例えば６秒間隔で切り替わるように、制御される。さらに他の形態としては、例えば、第１の電位が低電位で、−２００Ｖであり、この第１の電位とオフとが、例えば６秒間隔で切り替わるように、制御される。
【００１８】
このように、所定時間で、高電位と低電位とを繰り返したり、また、高電位とオフとを繰り返したり、さらに低電位とオフとを繰り返すことで、治療者の身体がその電位に慣れてしまうという問題を解決することができる。
【産業上の利用可能性】
【００１９】
以上のように、本発明によれば、所定時間で、高電位と低電位とを繰り返したり、また、高電位とオフとを繰り返したり、さらに低電位とオフとを繰り返すことで、治療者の身体がその電位に慣れてしまうという問題を解決することができる電位治療器及び電位治療器の制御方法を提供することができる。
(57)【要約】      （修正有）【課題】従来、線香は、真円形の炉に横にして使うため、火のついた線香を立てたり、短く折ったりすることは不安定で、とくに、老齢の方にはゆとりある動きができる必要があった。そこで、考えたのが、線香を安全に使用できるように外形の形状を楕円形にした安全横長涼炉を提供する。【解決手段】材質を陶器１で作った本体を設け、楕円形で横長炉２の形状で、幅は、ゆとりのある幅３の形状で、線香を立てるための深さ４を設け、熱伝導を避けるため、陶器１で作った本体の底部に熱伝導を避ける足５を３個設け、陶器１で作った本体に炉上部、炉横部、炉底部を設けた安全横長涼炉。【選択図】図１
2017148460.tif 000002
【特許請求の範囲】
【請求項１】
材質を陶器（１）で作った本体を設け、楕円形で横長炉（２）の形状で、幅は、ゆとりのある幅（３）の形状で、線香を立てるための深さ（４）を設け、熱伝導を避けるため、陶器（１）で作った本体の底部に熱伝導を避ける足（５）を３個設け、陶器（１）で作った本体に炉上部（８）、炉横部（９）、炉底部（１０）を設けたことを特徴とする安全横長涼炉。
【発明の詳細な説明】
【技術の分野】
【０００１】  従来、線香は、真円形の炉に横にして使うため、火のついた線香を立てたり、短く折ったりすることは不安定で、とくに、老齢の方にはゆとりある動きができる必要があった。
そこで、考えたのが、線香を安全に使用できるように外形の形状を楕円形にした安全横長涼炉に関するものである。
【背景技術】
【０００２】  従来、家庭用の炉においてはあまり大きなものはなかった。
従来の炉の本体の形状は、真円形のものがほとんどで、線香、焼香、香と焚くものによって炉の大きさ、形は大きな変化はなく、何百年も前から同じ様な真円形の形のものが使われている。
近年、老齢化が進み、誰にでも使い易い涼炉が考えられている（特許文献１参照）。
【先行技術文献】
【特許文献】
【０００３】
【特許文献１】  特開２００５−２５３９０７号公報
【発明の概要】
【発明が解決しようとする課題】
【０００４】  線香に火をつけて立てると危ないとの声が多かった。
宗派によっては、炉の中へ横にするため短く折って火をつける。
それがために、手からこぼれることもあった。
火の用心にも悪かった。
いままでは、線香を立てることが多かった。
そのため、灰の中に刺さっている線香の最後の部分が残ることも少なくなかった。
焚ききったと思っても灰の中に焚き残りの火が少し見えていた。
確認が必要になると同時に、灰の清掃が必要になる。
焚く香によっては、炉を変えなければならなかった。
宗派によっては、線香を折り横にするが数が多くなり短くするとこぼれやすかった。
本発明は以上の問題点を解決するためになされたものである。
【課題を解決するための手段】
【０００５】  材質を陶器（１）で作った本体を設け、楕円形で横長炉（２）の形状で、幅は、ゆとりのある幅（３）の形状で、線香を立てるための深さ（４）を設ける。
熱伝導を避けるため、陶器（１）で作った本体の底部に熱伝導を避ける足（５）を３個設ける。
陶器（１）で作った本体に炉上部（８）、炉横部（９）、炉底部（１０）を設ける。
以上のように構成された安全横長涼炉。
【発明の効果】
【０００６】  試作品により、効果を確認したが、使い勝手良好である。
線香を横にして焚くことによって倒れる心配がない。
中には灰を使うために後片付けの必要がない。
灰の中に線香は灰となり同化する。
横長炉は、折らずにそのまま横にできる。
立てて使う人のためにも炉の深さを取るため、問題がない。
幅に余裕をもたせたゆとりある炉で灰、火がこぼれない。
防火に良い。
老齢の方にも安全を考慮している。
仏前にも、部屋炊きにも、模様と色により多種多様な使い方ができる。
以上のような効果がある。本発明は安全な陶器である。
【図面の簡単な説明】
【０００７】
【図１】  本発明の斜視図である。
【図２】  本発明の使用状態を示した斜視図である。
【図３】  本発明の使用状態を示した斜視図である。
【図４】  本発明の断面図である。
【図５】  本発明の炉上部の説明図である。
【図６】  本発明の炉横部の説明図である。
【図７】  本発明の炉底部の説明図である。
【発明を実施するための形態】
【０００８】  以下、本発明の実施の形態を説明する。
材質を陶器（１）で作った本体を設け、楕円形で横長炉（２）の形状で、幅は、ゆとりのある幅（３）の形状で、線香を立てるための深さ（４）を設け、熱伝導を避けるため、陶器（１）で作った本体の底部に熱伝導を避ける足（５）を３個設け、陶器（１）で作った本体に炉上部（８）、炉横部（９）、炉底部（１０）を設ける。
本発明は以上のような構造の安全横長涼炉である。
本発明を使用するときは、線香（７）を立てると倒れる心配があるが、横にして使うので問題が解決できる。
線香（７）を立てるときにはゆとりある幅があれば炉の外に灰（６）が落ちない。
立てるのに安定させる深さを取る。
炉の熱はあまり強く出ないが床に熱が伝わらない様に足３個設けたので安心である。
そのため炉の中の灰（６）は、炉の七、八分目とする。
線香を焚いたあとは、灰と同化後片付けの必要がない。
清掃など必要がない。
灰の上に横になった線香は、最後まで焚き切ることができる。
高齢者の方には、使い易く、安全を提供できる。
安全な横長涼炉である。
【符号の説明】
【０００９】  １  陶器
２  横長炉（楕円形）
３  幅
４  深さ
５  足
６  灰
７  線香
８  炉上部
９  炉横部
１０  炉底部
【図１】
2017148460.tif 000003
【図２】
2017148460.tif 000004
【図３】
2017148460.tif 000005
【図４】
2017148460.tif 000006
【図５】
2017148460.tif 000007
【図６】
2017148460.tif 000008
【図７】
2017148460.tif 000009
(57)【要約】【課題】  バッグ内部に電池のパワーを利用したランプを取り付ける事でバッグ内部を明るく照らす。【解決手段】  一般的なバッグであって、バッグの開け口７の内部に最新の小さい高輝度ＬＥＤランプ１が絶縁体でできたカバーによって保護され接着剤でバッグに装着されている、ランプ１からケーブルによってコネクタ、更に電池ケース４に接続され更にケーブルによってスイッチ６に接続されていることを特徴とする。【選択図】図１
2017148457.tif 000002
【特許請求の範囲】
【請求項１】
物を入れて持ち歩く入れ物、一般的なバッグであって、そのバッグの開け口内部に電池のパワーにより明るく照らすランプが装着されていることを特徴とするバッグ。
【請求項２】
前記ランプは、最新の小さい高輝度ランプでできており、絶縁体でできたカバーによって保護されバッグに装備されていて、ケーブルによりバッグ内部の電池と接続し、バッグ内部の生地と同じ素材で目立つことの無い様に覆われていることを特徴とするバッグ。
【請求項３】
前記ランプの一つとして使用されるＬＥＤランプのバッグ内部の位置とランプの照らす向きは、バッグ開け口の内側にバッグ内部を照らすように、ランプのＯＮ，ＯＦＦスイッチと共に設置されていることを特徴とするバッグ。
【請求項４】
前記電池は、使用する電池に合わせた電池ケースに収められてバッグ内部に設置されている、バッグ内部の生地と同じ素材で目立つことの無い様に覆われていることを特徴とするバッグ。
【発明の詳細な説明】
【技術分野】
【０００１】  本発明は、一般的に物を入れるハンドバッグ、ボストンバッグ、キャリーバッグ等に関する。
【背景技術】
【０００２】  従来のバッグは、色々な種類の品々を個々バラバラ持ち運ぶ煩わしさを解決するために、一つのバッグに全て纏めて入れることで、その煩わしさから解放されるために使用されている、しかしながらそれらは、構造的にはバッグの開け口から物を入れバッグ内部に収納するだけである。【０００３】  一般的にバッグは、バッグ内部に入れた物が落ちたり、こぼれたりしないように袋状の構造になっており、一部には、内部に間仕切りを入れたりポケットを付けてバッグに入れた物がどこに在るか少しは分かるように工夫が為され、そして物を入れる開け口を閉じることで密閉状態となり物がこぼれ落ちる等の不安は無い。【０００４】一般的なバッグの内部は、上記の様に袋状になっていることから内部間仕切りがあってもバッグ開け口から見ると暗く、色々な物が入っていることで必要な物を直ぐに見つけて取り出すことが困難である。
【発明の開示】
【発明が解決しようとする課題】
【０００５】  上述の如く、従来技術によるバッグは、バッグ内部の間仕切りやポケットを付けてバッグ内部に入れた必要な物をある程度は取り出し易い工夫が為されているが、バッグ内部は、薄暗く特に暗い場所においては、必要な物を見つけて取り出すのは極めて困難である。【０００６】  本発明は、このような点に鑑みてなされたものであり、その目的は、バッグ内部に電池のパワーを利用したランプを取り付けることで、バッグ内部を明るく照らし何時でも何処でも簡単に必要な物を見つけてバッグ内部から取り出し易くすることにある。
【課題を解決しようとするための手段】
【０００７】  上述の目的を達成する本発明のランプ付きバッグは、一般的なバッグであって、そのバッグの内部に電池のパワーにより照らすランプが装着されていることを特徴とする。
【０００８】  一例として、前記ランプは最新の小さいＬＥＤ高輝度ランプでできており、絶縁体でできたカバーによって保護され、バッグの開け口内側に内部を照らすようにランプのＯＮ，ＯＦＦと共に装着され、ケーブルによってバッグ内部の電池と接続されている。
【０００９】  前記電池は、使用する電池の形態に合わせた電池ケースに収められ、バッグ内部と同じ素材でランプと繋がるケーブルと共に目立つことの無い様にカバーされ取り付けられている。
【発明の効果】
【０００１０】以上説明したように本発明によれば、バッグの開け口内側にバッグ内部を照らすように絶縁体でできたカバーによって保護されたランプが、取り付けられており、それには、目立つことの無い様に工夫された電池ケースに入った電池からケーブルを通じて、電力がランプに供給され、同じく設置されたＯＮ，ＯＦＦスイッチをＯＮすることによりランプが点灯しバッグ内部を照らす、したがって、暗い場所等においてもバッグ内部に収めた種々の品々から欲しい物を容易に見つけ取り出すには極めて有効である。
【発明を実施するための最良の形態】
【００１１】  以下本発明の実施の形態を図面に基づき詳細を説明する。【００１２】  図１〜図３は、本発明の第１の実施の形態に係り、図１はその使用斜視図、図２は、ランプの電気形態図、図３はランプの展開図である。【００１３】図１に示すようにバッグの開け口７の内部に最新の小さい高輝度ＬＥＤランプ１が、絶縁体でできたカバーによって保護され接着剤でバッグに装着されている、そして、ランプ１からケーブル２によってコネクタ３に接続されており、コネクタから更にケーブルによって電池ケース４に接続され更にケーブル２によってスイッチ６に接続されている又電池ケース４には電池５が挿入されている。【００１４】  ランプ１のバッグ内部を明るく照らす部分を除いて、ケーブル２、コネクタ３、電池ケース４とスイッチ６のＯＮ，ＯＦＦ切り替えスイッチ部手前までをバッグ内部に使用されている生地と同様の生地にてそれらが目立つことの無い様に覆われている。【００１５】  ランプ１はバッグ内部を明るく照らす方向に向かって設置され、電池ケース４は、使用する電池５の種類に合わせて設置されている。【００１６】  図２は、ランプの電気形態図であり、最新の小さい高輝度ＬＥＤランプ１は、ケーブル２でコネクタ３に接続され、コネクタからケーブルにて電池ケース４に接続されている、そして電池ケース４には電池５が挿入されており、電池ケース４からはケーブルにてスイッチ６に接続されそのスイッチでランプ１のＯＮ，ＯＦＦができる。【００１７】  図３は、ランプ展開図であり、２分岐ハーネス７をコネクタ３に接続すればＬＥＤランプ１の増設が可能であり、延長ハーネス８をコネクタ３へ接続すれば大きいバッグでもＬＥＤランプを自在に設置することが可能である。
【図面の簡単な説明】
【００１８】
【図１】  本発明の第１の実施形態に係る使用斜視図である。
【図２】  図１に係るランプの電気形態図である。
【図３】  図１に係るランプの展開図である。
【図１】
2017148457.tif 000003
【図２】
2017148457.tif 000004
【図３】
2017148457.tif 000005
(57)【要約】【課題】  耳かき後の外耳道に散乱残留する粉末を、エアの吸収力により取り除く。耳垢粉末吸収具を提供する。【解決手段】弾力性ボールの左右円周部に、それぞれ異なる取り付け部を設け、前記取り付け穴の左円周部に、押し圧と吸収によるエア用パイプを設け、前記、右円周部に指の付け根当て具を設け、耳垢粉末の排出を可能にすることを特徴とする耳垢粉末吸収具。【選択図】図１
2017148465.tif 000002
【特許請求の範囲】
【請求項１】
弾力性ボールの左右円周部に、それぞれ異なる取り付け部を設け、前記取り付け穴の左円周部に、押圧吸収によるエア用パイプを設け、前記右円周部に指の付け根当て具を設け、耳垢粉末の排出を可能にすることを特徴とする耳垢粉末の吸収具。
【発明の詳細な説明】
【技術分野】
【０００１】  本発明は、耳かき後の外耳道に散乱残留する粉末を、エアの吸収力により取り除く、耳垢粉末の吸収具に関するものである。
【背景技術】
【０００２】  従来、耳かき具を使用するにより、耳垢が砕け、ごく細い粒になり、又は粉末になっていた。粉末垢は、耳かき具を使用してもきれいに、かき取ることは困難とされていた。綿棒に薬品の液体を付け、除去する発明が知られている。（医療器具）
【発明の概要】
【発明が解決しようとする課題】
【０００３】  そのために、次のような問題点があった。
（イ）外耳道に耳垢の粉末が散乱すると、耳かきでは相当の手数を要するにより、除去する効率が悪かった。
（ロ）耳垢が砕け粉末ができ、耳かき後の粉末残留により堪らない程の痒みに悩まされていた。
本発明は、以上の問題点を解決するためになされたものである。
【課題を解決するための手段】
【０００４】  弾力性ボールの左右円周部に、それぞれ取り付け部を設ける。前記取り付け穴の左円周部に、押圧吸収によるエア用パイプを設ける。前記右円周部に、指の付け根当て具を設け、耳垢粉末の排出を可能とする。以上を特徴とする耳垢粉末の吸収具である。【０００５】  本発明は、耳垢をかき取る際、粉末化した耳垢と外部のほこりが外耳道に溜まるのを吸収的に、また自動的にボールの中に集積する。故に手作業による耳かき除去のわずらしさがない。またボールの中に集積した耳垢は、その都度排出することなく、本体ボールの半円周部の握りしめにより底部に集積されている耳垢を散乱させることはない。
【図面の簡単な説明】
【０００６】
【図１】  本発明の斜視図
【図２】  本発明の使用状態を示す斜視図
【発明を実施するための最良の形態】
【０００７】  以下、本発明の形態を説明する。
（イ）ボール本体（１）の左円周部の穴口（３）にエア吸入と排気両用のシリコンパイプ（４）を取り付ける。
（ロ）上記ボールの本体（１）の右円周部に、指の付け根（５）を設ける。
本発明は、以上の構成よりなっている。
本発明を使用するときは、ボール本体（１）を指で把握し、指の付け根（７）を当て具（５）に当て、強く握りしめの押圧によりボール本体（１）内のエアをシリコンパイプより排出する。故に指の握力を手早く開くことにより、自動的にボール本体（１）内に、エア吸収力により外耳道の耳垢粉末を集積できるという効果を発揮するものである。
【符号の説明】
【０００８】１  ボール本体
２  シリコンパイプ
３  穴口
４  パイプ先端
５  当て具
６  指先
７  付け根
【図１】
2017148465.tif 000003
【図２】
2017148465.tif 000004
(57)【要約】【課題】肘を乗せる領域を確保する器具で、持ち運びではないタイプのものを作ること。【解決手段】肘を乗せる領域を確保するための機能を備えた肘掛け及び肘掛けに取り付ける器具をつくる。これらは座席の所有者が元々備え付けているもので、乗客が持ち込み取り付けるものではない。【選択図】図１
2017148467.tif 000002
【特許請求の範囲】
【請求項１】
肘を乗せる領域を確保するための機能を備えた肘掛け及び肘掛けに取り付ける器具。
【請求項２】
肘を乗せる領域を確保するため、肘を乗せる場所を広げる為の板状の物を備えた、請求項１に記載の肘掛け及び肘掛けに取り付ける器具。
【請求項３】
肘を乗せる領域を確保するため、板状の仕切りを備えた、請求項１に記載の肘掛け及び肘掛けに取り付ける器具。
【請求項４】
肘を乗せる領域を確保するため、肘を乗せる場所を広げる為の板状の物と板状の仕切りを備えた、請求項１に記載の肘掛け及び肘掛けに取り付ける器具。
【発明の詳細な説明】
【技術分野】新幹線・旅客機・映画館等の座席の肘掛けに関する。
【背景技術】
【０００１】新幹線・旅客機・映画館等の座席では、座席の間にある肘掛けをどちらが使うかについて、座っている者同士でしばしば争いが起こる。これを解決するため、海外で持ち運びできる肘掛け用の仕切りが作られ販売された。その場で組み立てて、肘掛けに乗せて仕切りにするという使い方である。
【先行技術文献】
【非特許文献】
【０００２】
【非特許文献１】ｈｔｔｐ：／／ｗｗｗ．ｓｏａｒｉｇａｍｉ．ｃｏｍ／ｐａｇｅｓ／ｄｅｓｉｇｎ
【発明の概要】
【発明が解決しようとする課題】
【０００３】しかし、この肘掛け用の仕切りは３０センチ×２０センチ程のプラスチックの板であり持ち運びが困難である。
そこで、肘を乗せる領域を確保する器具で、持ち運びではないタイプのものを作ることを課題とする。これにより、持ち運びタイプの物を持っていない人でも肘掛けの奪い合いをすることなく、安心して自分の肘を肘掛けに乗せることができる。
【発明を解決するための手段】
【０００４】肘を乗せる領域を確保するための機能を備えた肘掛け及び肘掛けに取り付ける器具をつくる。これらは座席の所有者が元々備え付けているもので、乗客が持ち込み取り付けるものではない。
そして、肘を乗せる領域を確保するための機能を備えた肘掛けとは、仕切り・肘乗せ板内蔵型肘掛けのことである。
肘を乗せる領域を確保するための機能を備えた肘掛けに取り付ける器具とは、仕切り・肘乗せ板取り付け型器具のことである。
【図面の簡単な説明】
【０００５】
【図１】仕切り・肘乗せ板内蔵型肘掛け  全体図
【図２】仕切り・肘乗せ板内蔵型肘掛け  拡大図
【図３】仕切り・肘乗せ板取り付け型器具  全体図
【図４】仕切り・肘乗せ板取り付け型器具  拡大図
【発明を実施するための形態】
【０００６】発明を実施する形態は２つある。
・仕切り・肘乗せ板内蔵型肘掛け
製造段階から、肘掛けの内部に肘掛けを仕切るための板などが内蔵されている肘掛けである。隣の席の人と、どちらが肘掛けを使うかで揉めるとする。そんな時に、
まず、指をひっかける金具Ａ３に指をひっかけ引っ張りあげ、プラスチック・樹脂・木・金属等でできた仕切り用の板Ａ４を肘掛けの中から引っ張り上げ仕切りとする。Ａ４はふらつかないよう、内部で仕切り用の板を挟み、支える板Ａ５により支えられている。しかしこのままでは、肘掛けが狭く両者とも肘を乗せることができない。そこで、肘を乗せる面積を広げる為にプラスチック・樹脂・木・金属等でできた肘を乗せる板Ａ２を広げる。Ａ２は本体Ａ７に折り畳み式の固定具Ａ１と、軸支となるネジ等、回転の軸になる部品Ａ６で取り付けられている。これにより隣同士に座った２人とも、Ａ２の板に肘を乗せることができる。Ａ２の板の上に、ペットボトルホルダーやスマートフォンの設置場所等を設けることで、さらに便利な肘掛けになる。
仕切り・肘乗せ板取り付け型器具
これは、肘を乗せる領域を確保するための機能がない、現在出回っている、通常タイプの肘掛けに取り付けてその機能を追加するための器具である。木・プラスチック・樹脂・金属・ゴム等で出来た土台となる板Ｂ３を、結束バンド等、固定用の器具Ｂ２で肘掛けに取り付けてある。隣の席の人と、どちらが肘掛けを使うかで揉めるとする。そんな時に、木・プラスチック・樹脂・金属・ゴム等で出来た仕切り用の板Ｂ７をネジ等、回転の軸になる部品Ｂ６を軸に下ろすことで（仕切りが不必要な時は、Ｂ７は上がった状態になっている）、肘掛けの上に隣との仕切りができる。しかしこのままでは肘を置くには狭すぎる。そこで肘を置く領域を広くするための木・プラスチック・樹脂・金属・ゴム等で出来た板Ｂ１１を蝶番Ｂ８を軸に広げる。これにより、隣との境界に加え、自分が肘を置く十分な面積ができる。Ｂ７を支える板Ｂ５とＢ３はダボ等の接続部品Ｂ４で接続されている。Ｂ８とＢ７，Ｂ１１の接続にはネジ等固定用の部品Ｂ９を使用する。Ｂ１１の上にはゴム、樹脂、コルク等のシート状のＢ１０を張る。最後に、底面に滑り止め用のゴム、樹脂等のシートＢ１を張る。Ｂ１１の板の上に、ペットボトルホルダーやスマートフォンの設置場所等を設けることで、さらに便利な器具になる。
【符号の説明】
【０００７】Ａ１・・・折り畳み式の固定具
Ａ２・・・肘を乗せる板
Ａ３・・・指をひっかける金具
Ａ４・・・仕切り用の板
Ａ５・・・仕切り用の板を挟み、支える板
Ａ６・・・ネジ等、回転の軸になる部品
Ａ７・・・本体部
Ｂ１・・・滑り止め用のシート
Ｂ２・・・結束バンド等、固定用の器具
Ｂ３・・・土台となる板
Ｂ４・・・ダボ等の接続部品
Ｂ５・・・板
Ｂ６・・・ネジ等、回転の軸になる部品
Ｂ７・・・仕切り用の板
Ｂ８・・・蝶番
Ｂ９・・・ネジ等、固定用の部品
Ｂ１０・・・シート
Ｂ１１・・・板
Ｂ１２・・・蝶番
Ｂ１３・・・ネジ等、固定用の部品
Ｂ１４・・・シート
Ｂ１５・・・板
Ｂ１６・・・板
【図１】
2017148467.tif 000003
【図２】
2017148467.tif 000004
【図３】
2017148467.tif 000005
【図４】
2017148467.tif 000006
(57)【要約】      （修正有）【課題】縫製工場等において、油性インクを自然又は温度で消せる、便利なマーキング方法提供の。【解決手段】長さ１５０ｍｍ・径１ｍｍのスパイラル針を６，０００ｒ．ｐ．ｍで１００枚程の布に刺してポイント穴にインクを付ける方法であって、ポイント穴に使用するインクはロイコ染料・顕色剤・ポリエチレンワックス等を使用し、板状の油性固形インクとし、前記板状を布の上から、スパイラル針を上下し、約径１ｍｍのマーキングポイントが布に綺麗に付与され、マーキングポイントは約１０日間程で自然に消えるか、又は、早く消したい時は１３０℃〜１８０℃程の温度のアイロンで熱を加えると簡単に消えるマーキング方法。ワックスの板はポリエチレンワックス２０％、ワセリン２０％、流動性パラフィン５％、ロイコ染料・顕色剤・酢酸の混合液及びその他エタノールを含み、ガラス転移温度１５０℃前後であるマーキング方法。【選択図】図１
2017071742.tif 000002
【特許請求の範囲】
【請求項１】
長さ１５０ｍｍ・径１ｍｍのスパイラル針を６，０００ｒ．ｐ．ｍで１００枚程の布に刺してポイント穴にインクを付ける。
【請求項２】
ポイント穴に使用するインクはロイコ染料・顕色剤・ポリエチレンワックス等を使用し１００ｍｍ×１００ｍｍ×１０ｍｍの四方形の板状を作り布袋に入れるものとする。
【請求項３】
［請求項２］の板状を布の下に置き上から［請求項１］の針を上下すると約径１ｍｍのポイントが布の上から下迄綺麗に付く。又このインクは約１０日間程で自然に消える。早く消したい時は１３０℃〜１８０℃程の温度のアイロンで消すと簡単に消える。
【発明の詳細な説明】
【技術分野】
【０００１】油性インク（ワックス）が自然又は温度で簡単に消せる物を特徴としている。
【背景技術】
【０００２】スパイラル針はエッジで糸を切らない為に四フッ化水素で約２００℃で３回程焼き付け滑りを良くし且つエッジを殺した１５０ｍｍの針である。【０００３】ワックスの板は針で数多く穴があいた場合は１５０℃程で溶かして型に入れて冷やせは数十回使用できる。【０００４】ワックスの板はポリエチレンワックス２０％、ワセリン２０％、流動性パラフィン５％、ロイコ染料・顕色剤・酢酸の混合液２０％、その他エタノール等でできている。このワックス板は自然状態では２〜３年変化しない。ガラス転移温度は１５０℃頃である。【０００５】径１ｍｍのスパイラル針は６，０００ｒ．ｐ．ｍでワックス板のワックスを綺麗に回転吸い上げする。又布の糸を切らないので良好な商品作りに適している。【０００６】使用されているインクはガラス転移温度１５０℃で一度消えると再発色は無く温度によって温度（マイナス温度）によって発色する事なくプラッチックバインダーはでない。【０００７】布の色々な染色の重ねに対して白く明るい布はワックスが赤い色の為赤いポイントが見える。次に赤・黒・紺色の様な濃い色の場合ワックスの白が勝って白色の様なポイントが見える。よって色々な色の組み合わせでも針が一回回転往復すると全部の布にポイントが見える。
以上の特徴は縫製工場にとっては非常に便利である。
【図面の簡単な説明】
【０００８】
【図１】  マーキング方法の全体図を示す
【図２】  マーキングする為の器具を示す  モータ内蔵ボックス  直流  １００Ｖ  ＭＡＸ  ｒ．ｐ．ｍ  １０，０００  ＨＰ  １  １００Ｗ
【図１】
2017071742.tif 000003
【図２】
2017071742.tif 000004
(57)【要約】【課題】本発明は現在ある大型高価な車載クレーンに代わりに安価かつ省スペースな車載クレーンを提案するものである。【解決手段】解決手段として荷台前部にある鳥居部分に一体収納できるクレーンを提案いたします。まず、鳥居の両サイドにある柱部分をパイプ状にしてクレーンのマスト部分を収納するマストホルダーを設置、次に鳥居の横木にあたる部分にブームを収納するための溝を設置、マストホルダーの下に折りたたみ式あるいは伸縮式のアウトリガーを設置します、動力式の場合マストとアウトリガーを一本の油圧シリンダーで兼用しますと油圧シリンダーを伸ばすとアウトリガーの設置、マストアップ、ブームアップが一度にできます、この発明により荷台面積を大きく損することなく車載クレーンの設置を可能にします。【選択図】図１
2017071456.tif 000002
【特許請求の範囲】
【請求項１】
鳥居の両サイドにの柱部分にパイプ状のクレーンのマスト部分を収納するマストホルダーを設置。
【請求項２】
鳥居の横木にあたる部分にブームを収納するための溝を設置。
【請求項３】
マストホルダーの下に折りたたみ式あるいは伸縮式のアウトリガーを設置します、
動力式の場合マストとアウトリガーを一本の油圧シリンダーで兼用しますと油圧シリンダーを伸ばすとアウトリガーの設置、マストアップ、ブームアップが一度にできます。
【請求項４】
マストとブームの接続部分（図の三角部分）にウインチを収納する。
【発明の詳細な説明】
【技術分野】
【０００１】
本発明は、荷台スペースを損することなく車載できるクレーンに関するものである。
【背景技術】
【０００２】
現在ある車載クレーンは、シャーシ搭載型、荷台搭載型はともに荷台部分を５０ｃｍから８０ｃｍ占有して搭載するので積載性が悪くなる等の問題があった。
【先行技術文献】
【特許文献】
【０００３】
【特許文献１】特開公報  車載クレーンに類似なし
【非特許文献】
【０００４】
【非特許文献１】車載クレーンメーカー、古河UNIC、TADANOクレーン、２０１５年カタログに該当なし。
【発明の概要】
【発明が解決しようとする課題】
【０００５】
省スペース、安価低廉な車載クレーンを提供すること。
【課題を解決するための手段】
【０００６】
本発明は、荷台の鳥居部分に収納できる車載クレーンを提案するものである。
まず、鳥居の両サイドにある柱部分をパイプ状にしてクレーンのマスト部分を収納するマストホルダーを設置、
次に鳥居の横木にあたる部分にブームを収納するための溝を設置、
マストホルダーの下に折りたたみ式あるいは伸縮式のアウトリガーを設置します、
動力式の場合マストとアウトリガーを一本の油圧シリンダーで兼用しますと油圧シリンダーを伸ばすとアウトリガーの設置、マストアップ、ブームアップが一度にできます、
【発明の効果】
【０００７】
この発明により荷台面積を大きく損することなく車載クレーンの設置を可能にします。
【図面の簡単な説明】
【０００８】
【図１】クレーンを展開した時の図です。（実施例１） トラック側面より、
【図２】鳥居に収納した状態を示した説明図である。（実施例２） トラック後方よりの俯瞰
【図１】
2017071456.tif 000003
【図２】
2017071456.tif 000004